(57)【要約】【課題】データ信号に多重されて送信される制御信号のシンボル数を、変調方式に応じて適切に設定する。【解決手段】本発明に係る移動局ＵＥは、無線基地局ｅＮＢより、データ信号に多重されて送信される制御信号に関するパラメータを取得し、前記パラメータとデータ信号の変調方式とに基づいて、前記制御信号のシンボル数を決定するように構成されている。【選択図】図４
2010087634.tif 000002
【特許請求の範囲】
【請求項１】
無線基地局と通信する移動局であって、
前記無線基地局から、上りリンクの制御信号のためのパラメータを通知されるように構成されているパラメータ取得部と、
前記パラメータに基づいて、前記上りリンクの制御信号のシンボル数を決定するように構成されているシンボル数決定部と、
決定された前記シンボル数で、前記上りリンクの制御信号を送信するように構成されている送信部とを具備し、
前記シンボル数決定部は、変調方式に基づいて、前記シンボル数を決定するように構成されていることを特徴とする移動局。
【請求項２】
前記変調方式は、前記上りリンクの制御信号が多重される上りリンクの共有チャネルの変調方式であることを特徴とする請求項１に記載の移動局。
【請求項３】
前記シンボル数決定部は、前記変調方式における１シンボルあたりのビット数が小さい場合に、前記シンボル数を大きくし、前記変調方式における１シンボルあたりのビット数が大きい場合に、前記シンボル数を小さくするように構成されていることを特徴とする請求項１に記載の移動局。
【請求項４】
前記パラメータ取得部は、前記変調方式毎に前記パラメータを取得するように構成されており、
前記シンボル数決定部は、前記変調方式毎の前記パラメータに基づいて、前記上りリンクの制御信号のシンボル数を決定するように構成されていることを特徴とする請求項１に記載の移動局。
【請求項５】
前記変調方式は、ＢＰＳＫ、ＱＰＳＫ、１６ＱＡＭ、６４ＱＡＭの少なくとも１つであることを特徴とする請求項１に記載の移動局。
【請求項６】
前記上りリンクの制御信号は、Ｃｈａｎｎｅｌ  Ｑｕａｌｉｔｙ  Ｃｏｎｔｒｏｌ  Ｉｎｆｏｒｍａｔｉｏｎ、Ｃｈａｎｎｅｌ  Ｑｕａｌｉｔｙ  Ｉｎｄｉｃａｔｏｒ、Ｐｒｅｃｏｄｉｎｇ  Ｍａｔｒｉｘ  Ｉｎｄｉｃａｔｏｒ、Ｒａｎｄ  Ｉｎｄｉｃａｔｏｒ、ＨＡＲＱ-ＡＣＫ  ｉｎｆｏｒｍａｔｉｏｎ、Ｓｃｈｅｄｕｌｉｎｇ  Ｒｅｑｕｅｓｔの少なくとも１つであることを特徴とする請求項１に記載の移動局。
【請求項７】
移動局と通信する無線基地局であって、
前記移動局に対して、上りリンクの制御信号のためのパラメータを通知するように構成されているパラメータ通知部と、
前記パラメータに基づいて、前記上りリンクの制御信号のシンボル数を決定するように構成されているシンボル数決定部と、
決定された前記シンボル数で送信された前記上りリンクの制御信号を受信するように構成されている受信部とを具備し、
前記シンボル数決定部は、変調方式に基づいて、前記シンボル数を決定するように構成されていることを特徴とする無線基地局。
【請求項８】
前記変調方式は、前記制御信号が多重される上りリンクの共有チャネルの変調方式であることを特徴とする請求項７に記載の無線基地局。
【請求項９】
前記シンボル数決定部は、前記変調方式における１シンボルあたりのビット数が小さい場合に、前記シンボル数を大きくし、前記変調方式における１シンボルあたりのビット数が大きい場合に、前記シンボル数を小さくするように構成されていることを特徴とする請求項７に記載の無線基地局。
【請求項１０】
前記パラメータ通知部は、前記変調方式毎に前記パラメータを通知ように構成されており、
前記シンボル数決定部は、前記変調方式毎の前記パラメータに基づいて、前記上りリンクの制御信号のシンボル数を決定するように構成されていることを特徴とする請求項７に記載の無線基地局。
【請求項１１】
前記変調方式は、ＢＰＳＫ、ＱＰＳＫ、１６ＱＡＭ、６４ＱＡＭの少なくとも１つであることを特徴とする請求項７に記載の無線基地局。
【請求項１２】
前記上りリンクの制御信号は、Ｃｈａｎｎｅｌ  Ｑｕａｌｉｔｙ  Ｃｏｎｔｒｏｌ  Ｉｎｆｏｒｍａｔｉｏｎ、Ｃｈａｎｎｅｌ  Ｑｕａｌｉｔｙ  Ｉｎｄｉｃａｔｏｒ、Ｐｒｅｃｏｄｉｎｇ  Ｍａｔｒｉｘ  Ｉｎｄｉｃａｔｏｒ、Ｒａｎｄ  Ｉｎｄｉｃａｔｏｒ、ＨＡＲＱ−ＡＣＫ  ｉｎｆｏｒｍａｔｉｏｎ、Ｓｃｈｅｄｕｌｉｎｇ  Ｒｅｑｕｅｓｔの少なくとも１つであることを特徴とする請求項７に記載の無線基地局。
【請求項１３】
無線基地局と移動局との間で通信する移動通信方法であって、
前記無線基地局が、前記移動局に対して、上りリンクの制御信号のためのパラメータを通知する工程Ａと、
前記移動局及び前記移動局が、前記パラメータに基づいて、前記上り信号の制御信号のためのシンボル数を決定する工程Ｂと、
前記移動局が、前記無線基地局に対して、決定された前記シンボル数で、前記上りリンクの制御信号を送信する工程Ｃとを有し、
前記工程Ｂにおいて、前記シンボル数は、変調方式に基づいて決定されることを特徴とする移動通信方法。
【発明の詳細な説明】
【技術分野】
【０００１】
本発明は、移動局、無線基地局及び移動通信方法に関する。
【背景技術】
【０００２】
広帯域符号分割多重接続（Ｗ-ＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）方式や、高速下りリンクパケットアクセス（ＨＳＤＰＡ）方式や、高速上りリンクパケットアクセス（ＨＳＵＰＡ）方式等の後継となる通信方式、すなわち、ロングタームエボリューション（ＬＴＥ：Ｌｏｎｇ  Ｔｅｒｍ  Ｅｖｏｌｕｔｉｏｎ）方式が、Ｗ-ＣＤＭＡの標準化団体３ＧＰＰで検討されている。
【０００３】
ＬＴＥ方式を用いた無線アクセス方式として、下りリンクについては、直交周波数分割多重接続（ＯＦＤＭＡ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  Ａｃｃｅｓｓ）方式が使用され、上りリンクについてはシングルキャリア周波数分割多重接続（ＳＣ-ＦＤＭＡ：Ｓｉｎｇｌｅ−Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）方式が使用されることが有望視されている（例えば、非特許文献１参照）。
【０００４】
ＯＦＤＭＡ方式は、周波数帯域を複数の狭い周波数帯域（サブキャリア）に分割し、各サブキャリアにデータを載せて伝送を行うマルチキャリア伝送方式である。サブキャリアを周波数軸上に直交させながら密に並べることで高速伝送を実現し、周波数の利用効率を上げることが期待できる。
【０００５】
ＳＣ-ＦＤＭＡ方式は、周波数帯域を端末毎に分割し、複数の端末間で異なる周波数帯域を用いて伝送するシングルキャリア伝送方式である。端末間の干渉を簡易且つ効果的に低減することができることに加えて送信電力の変動を小さくできるので、ＳＣ-ＦＤＭＡ方式は、端末の低消費電力化及びカバレッジの拡大等の観点から好ましい。
【０００６】
ＬＴＥシステムでは、上りリンクの制御信号は、その送信タイミングにおいて、上りリンクのデータ信号が送信されるか否かに基づいて、２通りの送信方法が定義されている。
【０００７】
すなわち、上りリンクのデータ信号が送信される場合には、前記上りリンクの制御信号は、前記上りリンクのデータ信号に多重されて送信され、前記上りリンクのデータ信号が送信されない場合には、前記上りリンクの制御信号のみが送信される。
【０００８】
ここで、前者の場合の前記上りリンクの制御信号がマッピングされる物理チャネルは、ＰＵＳＣＨ（Ｐｈｙｓｉｃａｌ  Ｕｐｌｉｎｋ  Ｓｈａｒｅｄ  Ｃｈａｎｎｅｌ）であり、後者の場合の前記上りリンクの制御信号がマッピングされる物理チャネルは、ＰＵＣＣＨ（Ｐｈｙｓｉｃａｌ  Ｕｐｌｉｎｋ  Ｃｏｎｔｒｏｌ  Ｃｈａｎｎｅｌ）である。
【０００９】
ここで、前記制御信号には、Ｃｈａｎｎｅｌ  Ｑｕａｌｉｔｙ  Ｃｏｎｔｒｏｌ  Ｉｎｆｏｒｍａｔｉｏｎ、Ｃｈａｎｎｅｌ  Ｑｕａｌｉｔｙ  Ｉｎｄｉｃａｔｏｒ、Ｐｒｅｃｏｄｉｎｇ  Ｍａｔｒｉｘ  Ｉｎｄｉｃａｔｏｒ、Ｒａｎｄ  Ｉｎｄｉｃａｔｏｒ、ＨＡＲＱ-ＡＣＫ  ｉｎｆｏｒｍａｔｉｏｎ、Ｓｃｈｅｄｕｌｉｎｇ  Ｒｅｑｕｅｓｔ等が含まれる。
【００１０】
以下では、ＰＵＳＣＨにマッピングされる上りリンクの制御信号に関して説明を行う。
【００１１】
ここで、例えば、前記ＨＡＲＱ-ＡＣＫ  ｉｎｆｏｒｍａｔｉｏｎのシンボル数Ｑ´は、以下のように算出される（非特許文献２参照）。
【００１２】
【数１】
2010087634.tif 000003
【００１３】
ここで、Ｏは、ＨＡＲＱ-ＡＣＫ  ｉｎｆｏｒｍａｔｉｏｎの情報ビット数であり、ＭＳＣＰＵＳＣＨ−ｃｕｒｒｅｎｔは、当該サブフレームのＰＵＳＣＨのサブキャリア数である。
【００１４】
また、ＭＳＣＰＵＳＣＨ、ＮｓｙｍｂＰＵＳＣＨ、Ｃ、Ｋｒは、初回送信のための下りリンクの制御信号（ＰＤＣＣＨ：Ｐｈｙｓｉｃａｌ  Ｄｏｗｎｌｉｎｋ  Ｃｏｎｔｒｏｌ  Ｃｈａｎｎｅｌ）により得られるパラメータであり、より具体的には、ＭＳＣＰＵＳＣＨは、初回送信におけるＰＵＳＣＨのサブキャリア数であり、ＮｓｙｍｂＰＵＳＣＨは、ＰＵＳＣＨのＳＣ-ＦＤＭＡシンボル数であり、Ｃは、ターボ符号におけるセグメントされたコードブロック数であり、Ｋｒは、ｒ番目のコードブロックのビット数である。
【００１５】
ここで、
【数１Ａ】
2010087634.tif 000004
は、セグメントされた各コードブロックの情報ビット数の総和であり、ほぼＰＵＳＣＨに多重されるデータ信号（ＵＬ-ＳＣＨ）の情報ビット数に等しい。また、ΔｏｆｆｓｅｔＰＵＳＣＨは、上位レイヤからシグナリングされるオフセット値である。
【００１６】
まとめると、ＰＵＳＣＨに多重される上りリンクの制御信号のシンボル数は、前記制御信号の情報ビット数と、ＰＵＳＣＨのサブキャリア数と、ＰＵＳＣＨのＳＣ-ＦＤＭＡシンボル数と、データ信号の情報ビット数と、上位レイヤからシグナリングされるオフセット値とにより決定される。
【００１７】
ところで、前記ＰＵＳＣＨに多重される上りリンクの制御信号の変調方式は、上りリンクのデータ信号と同一である。
【００１８】
しかしながら、上りリンクのデータ信号の変調方式が１６ＱＡＭ又は６４ＱＡＭである場合には、上りリンクの制御信号がマッピングされる位置は、図１及び図２に示すように、最も振幅の大きいＣｏｎｓｔｅｌｌａｔｉｏｎ  ｐｏｉｎｔの内の２点に限定されている（非特許文献２、３参照）。
【００１９】
このように、最も振幅の大きい（最も信号電力の大きい）Ｃｏｎｓｔｅｌｌａｔｉｏｎ  ｐｏｉｎｔのみを用いて、ＨＡＲＱ-ＡＣＫ  Ｉｎｆｏｒｍａｔｉｏｎを送信することにより、受信ＳＩＲを向上させることが可能となる。
【非特許文献１】３ＧＰＰ  ＴＳ３６.２１１  Ｖ８.３.０（２００８年５月）
【非特許文献２】ＤＲＡＦＴ  ３ＧＰＰ  ＴＳ３６.２１２  Ｖ８．４．０（２００８年９月）、“５.２.２.６  Ｃｈａｎｎｅｌ  ｃｏｄｉｎｇ  ｏｆ  ｃｏｎｔｒｏｌ  ｉｎｆｏｒｍａｔｉｏｎ”
【非特許文献３】３ＧＰＰ  ＴＳ３６.２１１  Ｖ８.３.０（２００８年５月）、“５.３.１  Ｓｃｒａｍｂｌｉｎｇ”
【発明の開示】
【発明が解決しようとする課題】
【００２０】
上述したように、ＰＵＳＣＨに多重される上りリンクの制御信号のシンボル数は、前記制御信号の情報ビット数と、ＰＵＳＣＨのサブキャリア数と、ＰＵＳＣＨのＳＣ−ＦＤＭＡシンボル数と、データ信号の情報ビット数と、上位レイヤからシグナリングされるオフセット値により決定される。
【００２１】
一方、上述したように、ＰＵＳＣＨに多重される上りリンクの制御信号は、１６ＱＡＭや６４ＱＡＭの場合に、最も信号電力の大きいＣｏｎｓｔｅｌｌａｔｉｏｎ  ｐｏｉｎｔに多重される。これは、ＰＵＳＣＨに多重される上りリンクの制御信号の通信品質は、ＰＵＳＣＨのデータ信号の変調方式に依存することを意味する。
【００２２】
すなわち、上述した、ＰＵＳＣＨに多重される上りリンクの制御信号のシンボル数の決定方法は、ＰＵＳＣＨのデータ信号の変調方式を考慮していないため、全ての変調方式に関して最適な前記オフセット値を設定することができないという問題がある。
【００２３】
この場合、全ての変調方式の内の１つに最適化した前記オフセット値を用いると、残りの変調方式に関して、通信品質の劣化、或いは、制御信号のオーバヘッドの増加といった問題が生じることになる。
【００２４】
そこで、本発明は、上述の課題に鑑みてなされたものであり、変調方式に基づいて、上りリンクの制御信号のシンボル数を適切に設定することを可能とする移動局、無線基地局及び移動通信方法を提供することを目的とする。
【課題を解決するための手段】
【００２５】
本発明の第１の特徴は、無線基地局と通信する移動局であって、前記無線基地局から、上りリンクの制御信号のためのパラメータを通知されるように構成されているパラメータ取得部と、前記パラメータに基づいて、前記上りリンクの制御信号のシンボル数を決定するように構成されているシンボル数決定部と、決定された前記シンボル数で、前記上りリンクの制御信号を送信するように構成されている送信部とを具備し、前記シンボル数決定部は、変調方式に基づいて、前記シンボル数を決定するように構成されていることを要旨とする。
【００２６】
本発明の第１の特徴において、前記変調方式は、前記上りリンクの制御信号が多重される上りリンクの共有チャネルの変調方式であってもよい。
【００２７】
本発明の第１の特徴において、前記シンボル数決定部は、前記変調方式における１シンボルあたりのビット数が小さい場合に、前記シンボル数を大きくし、前記変調方式における１シンボルあたりのビット数が大きい場合に、前記シンボル数を小さくするように構成されていてもよい。
【００２８】
本発明の第１の特徴において、前記パラメータ取得部は、前記変調方式毎に前記パラメータを取得するように構成されており、前記シンボル数決定部は、前記変調方式毎の前記パラメータに基づいて、前記上りリンクの制御信号のシンボル数を決定するように構成されていてもよい。
【００２９】
本発明の第１の特徴において、前記変調方式は、ＢＰＳＫ、ＱＰＳＫ、１６ＱＡＭ、６４ＱＡＭの少なくとも１つであってもよい。
【００３０】
本発明の第１の特徴において、前記上りリンクの制御信号は、Ｃｈａｎｎｅｌ  Ｑｕａｌｉｔｙ  Ｃｏｎｔｒｏｌ  Ｉｎｆｏｒｍａｔｉｏｎ、Ｃｈａｎｎｅｌ  Ｑｕａｌｉｔｙ  Ｉｎｄｉｃａｔｏｒ、Ｐｒｅｃｏｄｉｎｇ  Ｍａｔｒｉｘ  Ｉｎｄｉｃａｔｏｒ、Ｒａｎｄ  Ｉｎｄｉｃａｔｏｒ、ＨＡＲＱ-ＡＣＫ  ｉｎｆｏｒｍａｔｉｏｎ、Ｓｃｈｅｄｕｌｉｎｇ  Ｒｅｑｕｅｓｔの少なくとも１つであってもよい。
【００３１】
本発明の第２の特徴は、移動局と通信する無線基地局であって、移動局と通信する無線基地局であって、前記移動局に対して、上りリンクの制御信号のためのパラメータを通知するように構成されているパラメータ通知部と、前記パラメータに基づいて、前記上りリンクの制御信号のシンボル数を決定するように構成されているシンボル数決定部と、決定された前記シンボル数で送信された前記上りリンクの制御信号を受信するように構成されている受信部とを具備し、前記シンボル数決定部は、変調方式に基づいて、前記シンボル数を決定するように構成されていることを要旨とする。
【００３２】
本発明の第２の特徴において、前記変調方式は、前記制御信号が多重される上りリンクの共有チャネルの変調方式であってもよい。
【００３３】
本発明の第２の特徴において、前記シンボル数決定部は、前記変調方式における１シンボルあたりのビット数が小さい場合に、前記シンボル数を大きくし、前記変調方式における１シンボルあたりのビット数が大きい場合に、前記シンボル数を小さくするように構成されていてもよい。
【００３４】
本発明の第２の特徴において、前記パラメータ通知部は、前記変調方式毎に前記パラメータを通知ように構成されており、前記シンボル数決定部は、前記変調方式毎の前記パラメータに基づいて、前記上りリンクの制御信号のシンボル数を決定するように構成されていてもよい。
【００３５】
本発明の第２の特徴において、前記変調方式は、ＢＰＳＫ、ＱＰＳＫ、１６ＱＡＭ、６４ＱＡＭの少なくとも１つであってもよい。
【００３６】
本発明の第２の特徴において、前記上りリンクの制御信号は、Ｃｈａｎｎｅｌ  Ｑｕａｌｉｔｙ  Ｃｏｎｔｒｏｌ  Ｉｎｆｏｒｍａｔｉｏｎ、Ｃｈａｎｎｅｌ  Ｑｕａｌｉｔｙ  Ｉｎｄｉｃａｔｏｒ、Ｐｒｅｃｏｄｉｎｇ  Ｍａｔｒｉｘ  Ｉｎｄｉｃａｔｏｒ、Ｒａｎｄ  Ｉｎｄｉｃａｔｏｒ、ＨＡＲＱ−ＡＣＫ  ｉｎｆｏｒｍａｔｉｏｎ、Ｓｃｈｅｄｕｌｉｎｇ  Ｒｅｑｕｅｓｔの少なくとも１つであってもよい。
【００３７】
本発明の第３の特徴は、無線基地局と移動局との間で通信する移動通信方法であって、前記無線基地局が、前記移動局に対して、上りリンクの制御信号のためのパラメータを通知する工程Ａと、前記移動局及び前記移動局が、前記パラメータに基づいて、前記上り信号の制御信号のためのシンボル数を決定する工程Ｂと、前記移動局が、前記無線基地局に対して、決定された前記シンボル数で、前記上りリンクの制御信号を送信する工程Ｃとを有し、前記工程Ｂにおいて、前記シンボル数は、変調方式に基づいて決定されることを要旨とする。
【発明の効果】
【００３８】
以上説明したように、本発明によれば、変調方式に基づいて、上りリンクの制御信号のシンボル数を適切に設定することを可能とする移動局、無線基地局及び移動通信方法を提供することができる。
【発明を実施するための最良の形態】
【００３９】
（本発明の第１の実施形態に係る移動通信システムの構成）
図３乃至図５を参照して、本発明の第１の実施形態に係る移動通信システムの構成について説明する。
【００４０】
図３に示すように、本実施形態に係る移動通信システムは、ＬＴＥ方式の移動通信システムである。かかる移動通信システムでは、無線アクセス方式として、下りリンクについては「ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  Ａｃｃｅｓｓ）方式」が適用され、上りリンクについては「ＳＣ-ＦＤＭＡ（Ｓｉｎｇｌｅ-Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）方式」が適用されることが検討されている。
【００４１】
ＯＦＤＭＡ方式は、特定の周波数帯域を複数の狭い周波数帯域（サブキャリア）に分割し、各周波数帯域上にデータを載せて伝送を行う方式である。かかるＯＦＤＭ方式によれば、サブキャリアを周波数軸上で一部重なりあいながらも互いに干渉することなく密に並べることで、高速伝送を実現し、周波数の利用効率を上げることができる。
【００４２】
また、ＳＣ-ＦＤＭＡ方式は、特定の周波数帯域を分割し、複数の移動局ＵＥの間で異なる周波数帯域を用いて伝送することで、複数の移動局ＵＥの間における干渉を低減することができる伝送方式である。ＳＣ-ＦＤＭＡ方式によれば、送信電力の変動が小さくなる特徴を有することから、移動局ＵＥの低消費電力化及び広いカバレッジを実現することができる。
【００４３】
また、本実施形態に係る移動通信システムでは、無線基地局ｅＮＢが、物理下り制御チャネルＰＤＣＣＨを介して下り制御信号を送信し、物理下り共有データチャネルＰＤＳＣＨ（Ｐｈｙｓｉｃａｌ  Ｄｏｗｎｌｉｎｋ  Ｓｈａｒｅｄ  Ｃｈａｎｎｅｌ）を介して下りデータ信号を送信するように構成されている。
【００４４】
一方、本実施形態に係る移動通信システムでは、移動局ＵＥは、物理上り共有データチャネルＰＵＳＣＨ（Ｐｈｙｓｉｃａｌ  Ｕｐｌｉｎｋ  Ｓｈａｒｅｄ  Ｃｈａｎｎｅｌ）を介して上りデータ信号を送信するように構成されている。
【００４５】
また、前記物理上り共有データチャネルＰＵＳＣＨ（Ｐｈｙｓｉｃａｌ  Ｕｐｌｉｎｋ  Ｓｈａｒｅｄ  Ｃｈａｎｎｅｌ）が送信されるサブフレーム（ＴＴＩ：Ｔｒａｎｓｍｉｓｓｉｏｎ  Ｔｉｍｅ  Ｉｎｔｅｒｖａｌ）において、上り制御信号が送信される場合には、前記上り制御信号は、前記ＰＵＳＣＨにマッピングされる。すなわち、前記上り制御信号は、上りデータ信号に多重されて送信される。
【００４６】
ここで、前記上り制御信号には、Ｃｈａｎｎｅｌ  Ｑｕａｌｉｔｙ  Ｃｏｎｔｒｏｌ  Ｉｎｆｏｒｍａｔｉｏｎ、Ｃｈａｎｎｅｌ  Ｑｕａｌｉｔｙ  Ｉｎｄｉｃａｔｏｒ、Ｐｒｅｃｏｄｉｎｇ  Ｍａｔｒｉｘ  Ｉｎｄｉｃａｔｏｒ、Ｒａｎｄ  Ｉｎｄｉｃａｔｏｒ、ＨＡＲＱ−ＡＣＫ  ｉｎｆｏｒｍａｔｉｏｎ、Ｓｃｈｅｄｕｌｉｎｇ  Ｒｅｑｕｅｓｔ等が含まれる。
【００４７】
前記ＰＵＳＣＨに、前記Ｃｈａｎｎｅｌ  Ｑｕａｌｉｔｙ  Ｃｏｎｔｒｏｌ  Ｉｎｆｏｒｍａｔｉｏｎ、Ｃｈａｎｎｅｌ  Ｑｕａｌｉｔｙ  Ｉｎｄｉｃａｔｏｒ、Ｐｒｅｃｏｄｉｎｇ  Ｍａｔｒｉｘ  Ｉｎｄｉｃａｔｏｒ、Ｒａｎｄ  Ｉｎｄｉｃａｔｏｒ、ＨＡＲＱ−ＡＣＫ  ｉｎｆｏｒｍａｔｉｏｎ、Ｓｃｈｅｄｕｌｉｎｇ  Ｒｅｑｕｅｓｔがマッピングされる場合には、前記Ｃｈａｎｎｅｌ  Ｑｕａｌｉｔｙ  Ｃｏｎｔｒｏｌ  Ｉｎｆｏｒｍａｔｉｏｎ、Ｃｈａｎｎｅｌ  Ｑｕａｌｉｔｙ  Ｉｎｄｉｃａｔｏｒ、Ｐｒｅｃｏｄｉｎｇ  Ｍａｔｒｉｘ  Ｉｎｄｉｃａｔｏｒ、Ｒａｎｄ  Ｉｎｄｉｃａｔｏｒ、ＨＡＲＱ−ＡＣＫ  ｉｎｆｏｒｍａｔｉｏｎ、Ｓｃｈｅｄｕｌｉｎｇ  Ｒｅｑｕｅｓｔの少なくとも１つがマッピングされてもよいし、あるいは、全てがマッピングされてもよい。
【００４８】
図４に示すように、移動局ＵＥは、パラメータ取得部１１と、シンボル数決定部１２と、送信管理部１３と、上り信号送信部１４とを具備している。
【００４９】
パラメータ取得部１１は、無線基地局ｅＮＢから、上りリンクの制御信号のためのパラメータを取得するように構成されている。パラメータ取得部１１は、かかる上りリンクの制御信号のためのパラメータを、シンボル数決定部１２に通知するように構成されている。
【００５０】
なお、上りリンクの制御信号のためのパラメータは、報知情報の一部として通知されてもよいし、セル内の各移動局ＵＥに対して個別に通知されるＲＲＣ  Ｓｉｇｎａｌｉｎｇ内の情報の一部として通知されてもよい。
【００５１】
ここで、前記上りリンクの制御信号のためのパラメータは、ＰＵＳＣＨにマッピングされる上りリンクの制御信号のシンボル数を決定するためのパラメータであってもよい。
【００５２】
より具体的には、前記上りリンクの制御信号のためのパラメータは、ＰＵＳＣＨにマッピングされる上りリンクの制御信号のシンボル数を決定するためのオフセット値であってもよい。前記オフセット値は、ΔｏｆｆｓｅｔＰＵＳＣＨと記載されてもよい。
【００５３】
シンボル数決定部１２は、パラメータ取得部１１より、前記上りリンクの制御信号のためのパラメータΔｏｆｆｓｅｔＰＵＳＣＨを受け取るように構成されている。また、シンボル数決定部１２は、送信管理部１３より、以下のパラメータを受け取るように構成されている。
【００５４】
Ｏ：上りリンクの制御信号の情報ビット数
ＭＳＣＰＵＳＣＨ：ＰＵＳＣＨのサブキャリア数
ＮｓｙｍｂＰＵＳＣＨ：ＰＵＳＣＨのＳＣ−ＦＤＭＡシンボル数
Ｃ：ターボ符号におけるセグメントされたコードブロック数
Ｋｒ：ｒ番目のコードブロックのビット数
Ｍｏｄｕｌａｔｉｏｎ：ＰＵＳＣＨの変調方式（Ｍｏｄｕｌａｔｉｏｎ  Ｓｃｈｅｍｅ）
【００５５】
そして、シンボル数決定部１２は、前記パラメータに基づき、上りリンクの制御信号のためのシンボル数を、以下のように算出する。
【００５６】
【数２】
2010087634.tif 000005
【００５７】
或いは、シンボル数決定部１２は、上りリンクの制御信号のためのシンボル数を、以下のように算出してもよい。
【００５８】
【数３】
2010087634.tif 000006
【００５９】
ここで、ＭｓｃＰＵＳＣＨ−ｃｕｒｒｅｎｔは、当該サブフレームにおけるＰＵＳＣＨのサブキャリア数である。前記ＭｓｃＰＵＳＣＨ−ｃｕｒｒｅｎｔは、送信管理部１３から通知されてもよい。
【００６０】
なお、前記上りリンクの制御信号は、ＰＵＳＣＨにマッピングされる上りリンクの制御信号であってもよい。すなわち、前記上りリンクの制御信号は、データ信号に多重される上りリンクの制御信号であってもよい。
【００６１】
ここで、ｆ（ＭＯＤＵＬＡＴＩＯＮ）は、ＰＵＳＣＨの変調方式（Ｍｏｄｕｌａｔｉｏｎ  Ｓｃｈｅｍｅ）を引数とする関数である。
【００６２】
すなわち、シンボル数決定部１２は、前記上りリンクの制御信号のシンボル数を、変調方式に基づいて決定する。言い換えれば、シンボル数決定部１２は、変調方式に関する情報が含まれる式を用いて、上りリンクの制御信号のためのシンボル数を算出する。
【００６３】
より具体的には、ｆ（ＭＯＤＵＬＡＴＩＯＮ）は、以下のように記載されてもよい。
【００６４】
ｆ（ＭＯＤＵＬＡＴＩＯＮ）＝１／ｘ×Ｇ（ｙ）
ｘ：１シンボルあたりのビット数（ＢＳＰＫの場合：１、ＱＰＳＫの場合：２、１６ＱＡＭの場合：４、６４ＱＡＭの場合：６）
【００６５】
ここで、Ｇ（ｙ）は、任意の関数であり、任意の固定値であってもよいし、任意のロジックで決定される値であってもよい。すなわち、前記上りリンクの制御信号のシンボル数を決定する計算式において、各変調方式における１シンボルあたりのビット数が、分母に含まれてもよい。
【００６６】
この場合、変調方式の１シンボルあたりのビット数が大きい場合に、上りリンクの制御信号のシンボル数が小さく算出され、変調方式の１シンボルあたりのビット数が小さい場合に、上りリンクの制御信号のシンボル数が大きく算出される。
【００６７】
より具体的には、上りリンクの制御信号のシンボル数は、変調方式が６４ＱＡＭである場合に、小さく設定され、変調方式が１６ＱＡＭである場合に、大きく設定されるように構成されていてもよい。
【００６８】
或いは、上りリンクの制御信号のシンボル数は、変調方式が１６ＱＡＭである場合に、小さく設定され、変調方式がＱＰＳＫである場合に、大きく設定されるように構成されていてもよい。
【００６９】
或いは、上りリンクの制御信号のシンボル数は、変調方式が６４ＱＡＭまたは１６ＱＡＭである場合に、小さく設定され、変調方式がＱＰＳＫである場合に、大きく設定されるように構成されていてもよい。
【００７０】
このように、変調方式に基づいて上りリンクの制御信号のシンボル数が算出されることにより、１種類のパラメータ、すなわち、前記上りリンクの制御信号のためのパラメータΔｏｆｆｓｅｔＰＵＳＣＨに基づき、変調方式毎に最適な上りリンクの制御信号のシンボル数を算出することが可能となる。
【００７１】
或いは、より具体的には、ｆ（ＭＯＤＵＬＡＴＩＯＮ）は、以下のように記載されてもよい。
【００７２】
ｆ（ＭＯＤＵＬＡＴＩＯＮ）＝１／Ｈ（ｘ）×Ｇ（ｙ）
ｘ：１シンボルあたりのビット数（ＢＳＰＫの場合：１、ＱＰＳＫの場合：２、１６ＱＡＭの場合：４、６４ＱＡＭの場合：６）
Ｈ（ｘ）：ｘに対して単調増加の関数
【００７３】
ここで、Ｇ（ｙ）は、任意の関数であり、任意の固定値であってもよいし、任意のロジックで決定される値であってもよい。すなわち、前記上りリンクの制御信号のシンボル数を決定する計算式において、各変調方式における１シンボルあたりのビット数に対して単調増加する関数が、分母に含まれてもよい。
【００７４】
この場合、変調方式の１シンボルあたりのビット数が大きい場合に、上りリンクの制御信号のシンボル数が小さく算出され、変調方式の１シンボルあたりのビット数が小さい場合に、上りリンクの制御信号のシンボル数が大きく算出される。
【００７５】
このように、変調方式に基づいて上りリンクの制御信号のシンボル数が算出されることにより、１種類のパラメータ、すなわち、前記上りリンクの制御信号のためのパラメータΔｏｆｆｓｅｔＰＵＳＣＨに基づき、変調方式毎に最適な上りリンクの制御信号のシンボル数を算出することが可能となる。
【００７６】
なお、Ｈ（ｘ）とは、例えば、指数関数であるａｘや、対数関数であるＬｏｇａ（ｘ）、ａ×ｘｂの少なくとも１つから構成される関数であってもよい。また、ｘの値に対して、ｘ´＝ａ×ｘ＋Ｃ等の補正が適用された後に、Ｈ（ｘ´）が算出されてもよい。或いは、真値（ｘ）からｄＢ値（ｘ´）に変換する処理が適用された後に、Ｈ（ｘ´）が算出されてもよい。或いは、ｄＢ値（ｘ）から真値（ｘ´）に変換する処理が適用された後に、Ｈ（ｘ´）が算出されてもよい。ここで、ａ、ｂ、ｃは、任意の係数である。
【００７７】
或いは、より具体的には、ｆ（ＭＯＤＵＬＡＴＩＯＮ）は、以下のように記載されてもよい。
【００７８】
ｆ（ＭＯＤＵＬＡＴＩＯＮ）＝１×Ｈ（ｘ）×Ｇ（ｙ）
ｘ：１シンボルあたりのビット数（ＢＳＰＫの場合：１、ＱＰＳＫの場合：２、１６ＱＡＭの場合：４、６４ＱＡＭの場合：６）
Ｈ（ｘ）：ｘに対して単調減少の関数
【００７９】
ここで、Ｇ（ｙ）は任意の関数であり、任意の固定値であってもよいし、任意のロジックで決定される値であってもよい。すなわち、前記上りリンクの制御信号のシンボル数を決定する計算式において、各変調方式における１シンボルあたりのビット数に対して単調減少する関数が、分子に含まれてもよい。
【００８０】
この場合、変調方式の１シンボルあたりのビット数が大きい場合に、上りリンクの制御信号のシンボル数が小さく算出され、変調方式の１シンボルあたりのビット数が小さい場合に、上りリンクの制御信号のシンボル数が大きく算出される。
【００８１】
すなわち、上りリンクの制御信号のシンボル数は、変調方式の１シンボルあたりのビット数が大きい場合に、小さく設定され、変調方式の１シンボルあたりのビット数が小さい場合に、大きく設定されるように構成されていてもよい。
【００８２】
より具体的には、上りリンクの制御信号のシンボル数は、変調方式が６４ＱＡＭである場合に、小さく設定され、変調方式が１６ＱＡＭである場合に、大きく設定されるように構成されていてもよい。
【００８３】
或いは、上りリンクの制御信号のシンボル数は、変調方式が１６ＱＡＭである場合に、小さく設定され、変調方式がＱＰＳＫである場合に、大きく設定されるように構成されていてもよい。
【００８４】
或いは、上りリンクの制御信号のシンボル数は、変調方式が６４ＱＡＭまたは１６ＱＡＭである場合に、小さく設定され、変調方式がＱＰＳＫである場合に、大きく設定されるように構成されていてもよい。
【００８５】
このように、変調方式に基づいて上りリンクの制御信号のシンボル数が算出されることにより、１種類のパラメータ、すなわち、前記上りリンクの制御信号のためのパラメータΔｏｆｆｓｅｔＰＵＳＣＨに基づき、変調方式毎に最適な上りリンクの制御信号のシンボル数を算出することが可能となる。
【００８６】
なお、Ｈ（ｘ）とは、例えば、指数関数であるａ-ｘや、-ａ×ｘｂの少なくとも１つから構成される関数であってもよい。また、ｘの値に対して、ｘ´＝ａ×ｘ＋ｃ等の補正が適用された後に、Ｈ（ｘ´）が算出されてもよい。或いは、真値（ｘ）からｄＢ値（ｘ´）に変換する処理が適用された後に、Ｈ（ｘ´）が算出されてもよい。或いは、ｄＢ値（ｘ）から真値（ｘ´）に変換する処理が適用された後に、Ｈ（ｘ´）が算出されてもよい。ここで、ａ、ｂ、ｃは、任意の係数である。
【００８７】
あるいは、シンボル数決定部１２は、前記パラメータに基づき、上りリンクの制御信号のためのシンボル数を、以下のように算出してもよい。
【００８８】
【数４】
2010087634.tif 000007
【００８９】
この場合、ＱＰＳＫに関する上りリンクの制御信号のためのパラメータΔｏｆｆｓｅｔＰＵＳＣＨが、無線基地局ｅＮＢから通知され、１６ＱＡＭ又は６４ＱＡＭに関する上りリンクの制御信号のためのパラメータΔｏｆｆｓｅｔＰＵＳＣＨは、上記ＱＰＳＫに関する上りリンクの制御信号のためのパラメータΔｏｆｆｓｅｔＰＵＳＣＨを補正した値となる。
【００９０】
なお、上述の例においては、「−３」が、１６ＱＡＭの場合の補正のためのパラメータであり、「−４」が、６４ＱＡＭの場合の補正のパラメータである。また、かかる「−３」や「−４」は、一例であり、それ以外の値が用いられてもよい。
【００９１】
或いは、上述の例では、ＱＰＳＫに関する上りリンクの制御信号のためのパラメータΔｏｆｆｓｅｔＰＵＳＣＨが、無線基地局ｅＮＢから通知されたが、代わりに、１６ＱＡＭに関する上りリンクの制御信号のためのパラメータΔｏｆｆｓｅｔＰＵＳＣＨが、無線基地局ｅＮＢから通知され、ＱＰＳＫ又は６４ＱＡＭに関する上りリンクの制御信号のためのパラメータΔｏｆｆｓｅｔＰＵＳＣＨは、１６ＱＡＭに関する上りリンクの制御信号のためのパラメータΔｏｆｆｓｅｔＰＵＳＣＨを補正した値としてもよい。
【００９２】
言い換えれば、シンボル数決定部１２は、前記パラメータに基づき、上りリンクの制御信号のためのシンボル数を、以下のように算出してもよい。
【００９３】
【数５】
2010087634.tif 000008
【００９４】
ここで、ｏｆｆｓｅｔＭＯＤが、変調方式による品質の違いを補正するためのパラメータである。すなわち、シンボル数決定部１２は、前記上りリンクの制御信号のためのパラメータΔｏｆｆｓｅｔＰＵＳＣＨと、変調方式毎に設定されるパラメータｏｆｆｓｅｔＭＯＤとに基づき、上りリンクの制御信号のためのシンボル数を決定する。
【００９５】
より具体的には、例えば、上記変調方式による品質の違いを補正するためのパラメータは、以下のように設定されてもよい。
【００９６】
ＱＰＳＫの場合：ｏｆｆｓｅｔＭＯＤ＝３ｄＢ
１６ＱＡＭの場合：ｏｆｆｓｅｔＭＯＤ＝０ｄＢ
６４ＱＡＭの場合：ｏｆｆｓｅｔＭＯＤ＝−１ｄＢ
【００９７】
なお、かかる３ｄＢや０ｄＢや−１ｄＢといった値は、一例であり、それ以外の値であってもよい。
【００９８】
そして、シンボル数決定部１２は、算出した前記上りリンクの制御信号のためのシンボル数を、上り信号送信部１４に通知する。
【００９９】
送信管理部１３は、当該サブフレームにおいて送信するＰＵＳＣＨに関する情報を取得し、前記情報をシンボル数決定部１２に通知する。前記情報は、例えば、下りリンクにおける制御信号、ＰＤＣＣＨを受信することにより取得されてもよい。
【０１００】
前記ＰＤＣＣＨにより、上りリンクのデータ信号（ＵＬ-ＳＣＨ、ＰＵＳＣＨ）のためのＵＬ  Ｓｃｈｅｄｕｌｉｎｇ  Ｇｒａｎｔや下りリンクのデータ信号（ＤＬ-ＳＣＨ、ＰＤＳＣＨ）のためのＤＬ  Ｓｃｈｅｄｕｌｉｎｇ  Ｇｒａｎｔが送信される。
【０１０１】
前記ＵＬ  Ｓｃｈｅｄｕｌｉｎｇ  Ｇｒａｎｔ及びＤＬ  Ｓｃｈｅｄｕｌｉｎｇ  Ｇｒａｎｔは、まとめてＤｏｗｎｌｉｎｋ  Ｓｃｈｅｄｕｌｉｎｇ  Ｉｎｆｏｒｍａｉｔｏｎ（ＤＣＩ）と呼ばれてもよい。
【０１０２】
ここで、前記情報とは、より具体的には、以下の示すパラメータである。
【０１０３】
Ｏ：上りリンクの制御信号の情報ビット数
ＭＳＣＰＵＳＣＨ：ＰＵＳＣＨのサブキャリア数
ＮｓｙｍｂＰＵＳＣＨ：ＰＵＳＣＨのＳＣ−ＦＤＭＡシンボル数
Ｃ：ターボ符号におけるセグメントされたコードブロック数
Ｋｒ：ｒ番目のコードブロックのビット数
Ｍｏｄｕｌａｔｉｏｎ：ＰＵＳＣＨの変調方式（Ｍｏｄｕｌａｔｉｏｎ  Ｓｃｈｅｍｅ）
【０１０４】
なお、ＭＳＣＰＵＳＣＨは、初回送信におけるＰＵＳＣＨのサブキャリア数であってもよいし、当該サブフレームに送信されるＰＵＳＣＨのサブキャリア数であってもよい。或いは、ＭｓｙｍｂＰＵＳＣＨは、初回送信におけるＰＵＳＣＨのＳＣ-ＦＤＭＡシンボル数であってもよいし、当該サブフレームに送信されるＰＵＳＣＨのＳＣ-ＦＤＭＡシンボル数であってもよい。
【０１０５】
また、Ｍｏｄｕｌａｔｉｏｎは、初回送信におけるＰＵＳＣＨ（データ信号）の変調方式（Ｍｏｄｕｌａｔｉｏｎ  Ｓｃｈｅｍｅ）であってもよいし、当該サブフレームに送信されるＰＵＳＣＨ（データ信号）のサブキャリア数であってもよい。
【０１０６】
ここで、当該サブフレームとは、該ＰＵＳＣＨ及び該ＰＵＳＣＨにマッピングされる上りリンクの制御信号が送信されるサブフレーム（Ｃｕｒｒｅｎｔ  Ｓｕｂｆｒａｍｅ）である。
【０１０７】
また、送信管理部１３は、上りリンクの信号の送信に必要な情報を取得し、上り信号送信部１４に通知する。ここで、前記上りリンクの信号の送信に必要な情報とは、例えば、移動局ＵＥ内で測定された情報や、上述した下りリンクの制御信号ＰＤＣＣＨにより通知された情報等が含まれる。
【０１０８】
上り信号送信部１４は、シンボル数決定部１２より、前記上りリンクの制御信号のためのシンボル数を受け取る。また、上り信号送信部１４は、送信管理部１３より、前記上りリンクの信号の送信に必要な情報を受け取る。
【０１０９】
そして、上り信号送信部１４は、前記上りリンクの制御信号のためのシンボル数と、前記上りリンクの信号の送信に必要な情報とに基づいて、上りリンクのデータ信号と上りリンクの制御信号とを送信する。
【０１１０】
ここで、前記上りリンクのデータ信号及び上りリンクの制御信号は多重され、ＰＵＳＣＨにマッピングされて送信される。
【０１１１】
図５に示すように、無線基地局ｅＮＢは、パラメータ通知部２１と、シンボル数決定部２２と、受信管理部２３と、上り信号受信部２４とを具備する。
【０１１２】
パラメータ通知部２１は、移動局ＵＥに対して、上りリンクの制御信号のためのパラメータを通知するように構成されている。また、パラメータ通知部２１は、かかる上りリンクの制御信号のためのパラメータを、シンボル数決定部２２に通知するように構成されている。
【０１１３】
なお、上りリンクの制御信号のためのパラメータは、報知情報の一部として通知されてもよいし、セル内の各移動局ＵＥに対して個別に通知されるＲＲＣ  Ｓｉｇｎａｌｉｎｇ内の情報の一部として通知されてもよい。
【０１１４】
ここで、前記上りリンクの制御信号のためのパラメータは、ＰＵＳＣＨにマッピングされる上りリンクの制御信号のシンボル数を決定するためのパラメータであってもよい。より具体的には、前記上りリンクの制御信号のためのパラメータは、ＰＵＳＣＨにマッピングされる上りリンクの制御信号のシンボル数を決定するためのオフセット値であってもよい。前記オフセット値は、ΔｏｆｆｓｅｔＰＵＳＣＨと記載されてもよい。
【０１１５】
シンボル数決定部２２は、パラメータ取得部２１より、前記上りリンクの制御信号のためのパラメータΔｏｆｆｓｅｔＰＵＳＣＨを受け取るように構成されている。また、シンボル数決定部２２は、受信管理部２３より、以下のパラメータを受け取るように構成されている。
【０１１６】
Ｏ：上りリンクの制御信号の情報ビット数
ＭＳＣＰＵＳＣＨ：ＰＵＳＣＨのサブキャリア数
ＮｓｙｍｂＰＵＳＣＨ：ＰＵＳＣＨのＳＣ−ＦＤＭＡシンボル数
Ｃ：ターボ符号におけるセグメントされたコードブロック数
Ｋｒ：ｒ番目のコードブロックのビット数
Ｍｏｄｕｌａｔｉｏｎ：ＰＵＳＣＨの変調方式（Ｍｏｄｕｌａｔｉｏｎ  Ｓｃｈｅｍｅ）
【０１１７】
そして、シンボル数決定部２２は、シンボル数決定部２２は、パラメータ取得部２１及び受信管理部２３より受け取った前記パラメータに基づき、上りリンクの制御信号のためのシンボル数を算出するように構成されている。
【０１１８】
なお、シンボル数決定部２２における上りリンクの制御信号のためのシンボル数の算出方法は、シンボル数決定部１２における上りリンクの制御信号のためのシンボル数の算出方法と同様であるため、その説明を省略する。
【０１１９】
シンボル数決定部２２は、算出した前記上りリンクの制御信号のためのシンボル数を、上り信号受信部１４に通知するように構成されている。
【０１２０】
受信管理部２３は、当該サブフレームにおいて受信するＰＵＳＣＨに関する情報を取得し、前記情報をシンボル数決定部２２に通知するように構成されている。
【０１２１】
前記情報は、例えば、下りリンクにおける制御信号、ＰＤＣＣＨにより移動局ＵＥに通知するパラメータから求められる情報であってもよい。なお、前記情報の詳細は、上述した送信管理部１３に関する説明における情報と同様であるため、その説明を省略する。
【０１２２】
また、受信管理部２３は、上りリンクの信号の受信に必要な情報を取得し、上り信号受信部２４に通知するように構成されている。ここで、前記上りリンクの信号の受信に必要な情報とは、例えば、上述した下りリンクの制御信号ＰＤＣＣＨによりＵＥに通知した情報等が含まれる。
【０１２３】
上り信号受信部２４は、シンボル数決定部２２より、前記上りリンクの制御信号のためのシンボル数を受け取るように構成されている。また、上り信号受信部２４は、受信管理部２３より、前記上りリンクの信号の受信に必要な情報を受け取るように構成されている。
【０１２４】
そして、上り信号受信部２４は、前記上りリンクの制御信号のためのシンボル数と、前記上りリンクの信号の受信に必要な情報とに基づいて、上りリンクのデータ信号と上りリンクの制御信号とを受信するように構成されている。
【０１２５】
ここで、前記上りリンクのデータ信号及び上りリンクの制御信号は多重され、ＰＵＳＣＨにマッピングされて送信される。
【０１２６】
なお、上述した上りリンクの制御信号には、Ｃｈａｎｎｅｌ  Ｑｕａｌｉｔｙ  Ｃｏｎｔｒｏｌ  Ｉｎｆｏｒｍａｔｉｏｎ、Ｃｈａｎｎｅｌ  Ｑｕａｌｉｔｙ  Ｉｎｄｉｃａｔｏｒ、Ｐｒｅｃｏｄｉｎｇ  Ｍａｔｒｉｘ  Ｉｎｄｉｃａｔｏｒ、Ｒａｎｄ  Ｉｎｄｉｃａｔｏｒ、ＨＡＲＱ-ＡＣＫ  ｉｎｆｏｒｍａｔｉｏｎ、Ｓｃｈｅｄｕｌｉｎｇ  Ｒｅｑｕｅｓｔ等が含まれてよい。
【０１２７】
例えば、前記上りリンクの制御信号がＨＡＲＱ-ＡＣＫ  ｉｎｆｏｒｍａｔｉｏｎである場合には、Ｏは、ＨＡＲＱ−ＡＣＫ  ｉｎｆｏｒｍａｔｉｏｎの情報ビット数に相当し、上りリンクの制御信号のためのパラメータΔｏｆｆｓｅｔＰＵＳＣＨは、ＨＡＲＱ-ＡＣＫ  ｉｎｆｏｒｍａｔｉｏｎに関するパラメータに相当する。
【０１２８】
或いは、前記上りリンクの制御信号がＲａｎｋ  Ｉｎｄｉｃａｔｏｒである場合には、Ｏは、Ｒａｎｋ  Ｉｎｄｉｃａｔｏｒの情報ビット数に相当し、上りリンクの制御信号のためのパラメータΔｏｆｆｓｅｔＰＵＳＣＨは、Ｒａｎｋ  Ｉｎｄｉｃａｔｏｒに関するパラメータに相当する。
【０１２９】
或いは、前記上りリンクの制御信号がＣｈａｎｎｅｌ  Ｑｕａｌｉｔｙ  Ｃｏｎｔｒｏｌ  Ｉｎｆｏｒｍａｔｉｏｎである場合には、Ｏは、Ｃｈａｎｎｅｌ  Ｑｕａｌｉｔｙ  Ｃｏｎｔｒｏｌ  Ｉｎｆｏｒｍａｔｉｏｎの情報ビット数に相当し、上りリンクの制御信号のためのパラメータΔｏｆｆｓｅｔＰＵＳＣＨは、Ｃｈａｎｎｅｌ  Ｑｕａｌｉｔｙ  Ｃｏｎｔｒｏｌ  Ｉｎｆｏｒｍａｔｉｏｎに関するパラメータに相当する。
【０１３０】
なお、Ｃｈａｎｎｅｌ  Ｑｕａｌｉｔｙ  Ｃｏｎｔｒｏｌ  Ｉｎｆｏｒｍａｔｉｏｎには、Ｃｈａｎｎｅｌ  Ｑｕａｌｉｔｙ  Ｉｎｄｉｃａｔｏｒと、Ｐｒｅｃｏｄｉｎｇ  Ｍａｔｒｉｘ  Ｉｎｄｉｃａｔｏｒが含まれてもよい。
【０１３１】
或いは、前記上りリンクの制御信号がＣｈａｎｎｅｌ  Ｑｕａｌｉｔｙ  Ｃｏｎｔｒｏｌ  Ｉｎｆｏｒｍａｔｉｏｎである場合には、以下の式により、そのシンボル数が決定されてもよい。
【０１３２】
【数６】
2010087634.tif 000009
【０１３３】
なお、ここで、Ｌは、Ｃｈａｎｎｅｌ  Ｑｕａｌｉｔｙ  Ｃｏｎｔｒｏｌ  Ｉｎｆｏｒｍａｔｉｏｎに付与されるＣＲＣのビット数である。その他のパラメータ及び関数に関しては、上述の式と同様であるため、その説明を省略する。
【０１３４】
（本発明の第１の実施形態に係る移動通信システムの動作）
図６を参照して、本発明の第１の実施形態に係る移動通信システムの動作について説明する。
【０１３５】
ステップＳ３０２において、無線基地局ｅＮＢは、移動局ＵＥに対して、上りリンクの制御信号のためのパラメータを通知する。この時、移動局ＵＥは、無線基地局ｅＮＢより、上りリンクの制御信号のためのパラメータを受信する。
【０１３６】
ステップＳ３０４において、無線基地局ｅＮＢ及び移動機局ＵＥは、上りリンクの制御信号のためのパラメータと変調方式とに基づいて、上りリンクの制御信号のシンボル数を決定する。
【０１３７】
なお、上りリンクの制御信号のシンボル数の決定方法に関する説明は、上述した移動局ＵＥのシンボル数決定部１２に関する説明と同等であるため、省略する。
【０１３８】
ステップＳ３０６において、移動局ＵＥは、前記上りリンクの制御信号を送信する。この時、無線基地局ｅＮＢは、前記移動局ＵＥから送信された前記上りリンクの制御信号を受信する。また、この場合の上りリンクの制御信号のシンボル数は、ステップＳ３０４で算出された値である。
【０１３９】
なお、前記上りリンクの制御信号には、Ｃｈａｎｎｅｌ  Ｑｕａｌｉｔｙ  Ｃｏｎｔｒｏｌ  Ｉｎｆｏｒｍａｔｉｏｎ、Ｃｈａｎｎｅｌ  Ｑｕａｌｉｔｙ  Ｉｎｄｉｃａｔｏｒ、Ｐｒｅｃｏｄｉｎｇ  Ｍａｔｒｉｘ  Ｉｎｄｉｃａｔｏｒ、Ｒａｎｄ  Ｉｎｄｉｃａｔｏｒ、ＨＡＲＱ-ＡＣＫ  ｉｎｆｏｒｍａｔｉｏｎ、Ｓｃｈｅｄｕｌｉｎｇ  Ｒｅｑｕｅｓｔ等が含まれる。
【０１４０】
また、前記上りリンクの制御信号は、ＰＵＳＣＨにマッピングされる上りリンクの制御信号である。すなわち、前記上りリンクの制御信号は、データ信号に多重されて送信される上りリンクの制御信号である。
【０１４１】
（本発明の第１の実施形態に係る移動通信システムの作用・効果）
本発明の第１の実施形態に係る移動通信システムによれば、１つのオフセット値（すなわち、上りリンクの制御信号のためのパラメータ）を設定することにより、全ての変調方式に関して最適な上りリンクの制御信号のシンボル数が決定されるため、結果として、通信品質の安定や、オーバヘッドの削減を実現することができる。
【０１４２】
（変更例１）
本発明の変更例１では、移動局ＵＥにおけるパラメータ取得部１１及びシンボル数決定部１２、無線基地局ｅＮＢにおけるパラメータ通知部２１及びシンボル数２２が、上述した第１の実施形態における、移動局ＵＥにおけるパラメータ取得部１１及びシンボル数決定部１２、無線基地局ｅＮＢにおけるパラメータ通知部２１及びシンボル数２２と異なるため、以下では、移動局ＵＥにおけるパラメータ取得部１１及びシンボル数決定部１２、無線基地局ｅＮＢにおけるパラメータ通知部２１及びシンボル数２２に関して説明を行う。
【０１４３】
移動局ＵＥにおけるパラメータ取得部１１及びシンボル数決定部１２、無線基地局ｅＮＢにおけるパラメータ通知部２１及びシンボル数２２以外の各機能部に関する説明は、第１の実施形態における説明と同等であるため省略する。
【０１４４】
パラメータ取得部１１は、無線基地局ｅＮＢから、変調方式毎に、上りリンクの制御信号のためのパラメータを取得するように構成されている。パラメータ取得部１１は、かかる変調方式毎の、上りリンクの制御信号のためのパラメータを、シンボル数決定部１２に通知するように構成されている。前記変調方式とは、例えば、ＢＰＳＫやＱＰＳＫ、１６ＱＡＭ、６４ＱＡＭ等である。
【０１４５】
なお、上記変調方式毎の上りリンクの制御信号のためのパラメータは、報知情報の一部として通知されてもよいし、セル内の各移動局ＵＥに対して個別に通知されるＲＲＣ  Ｓｉｇｎａｌｉｎｇ内の情報の一部として通知されてもよい。
【０１４６】
ここで、前記変調方式毎の上りリンクの制御信号のためのパラメータは、ＰＵＳＣＨにマッピングされる上りリンクの制御信号のシンボル数を決定するためのパラメータであってもよい。
【０１４７】
より具体的には、前記変調方式毎の上りリンクの制御信号のためのパラメータは、ＰＵＳＣＨにマッピングされる上りリンクの制御信号のシンボル数を決定するためのオフセット値であってもよい。
【０１４８】
前記オフセット値は、ΔｏｆｆｓｅｔＰＵＳＣＨ、ＭＯＤＵＬＡＴＩＯＮと記載されてもよい。より具体的には、例えば、ＱＰＳＫ、１６ＱＡＭ、６４ＱＡＭに関する前記オフセット値は、それぞれ、ΔｏｆｆｓｅｔＰＵＳＣＨ、ＱＰＳＫ、ΔｏｆｆｓｅｔＰＵＳＣＨ、１６ＱＡＭ、ΔｏｆｆｓｅｔＰＵＳＣＨ、６４ＱＡＭと記載されてもよい。
【０１４９】
シンボル数決定部１２は、パラメータ取得部１１より、前記変調方式毎の上りリンクの制御信号のためのパラメータΔｏｆｆｓｅｔＰＵＳＣＨを受け取るように構成されている。
【０１５０】
より具体的には、シンボル数決定部１２は、ＱＰＳＫ、１６ＱＡＭ、６４ＱＡＭに関する前記上りリンクの制御信号のためのパラメータとして、それぞれ、ΔｏｆｆｓｅｔＰＵＳＣＨ、ＱＰＳＫ、ΔｏｆｆｓｅｔＰＵＳＣＨ、１６ＱＡＭ、ΔｏｆｆｓｅｔＰＵＳＣＨ、６４ＱＡＭを受け取ってもよい。
【０１５１】
また、シンボル数決定部１２は、送信管理部１３より、以下のパラメータを受け取るように構成されている。
【０１５２】
Ｏ：上りリンクの制御信号の情報ビット数
ＭＳＣＰＵＳＣＨ：ＰＵＳＣＨのサブキャリア数
ＮｓｙｍｂＰＵＳＣＨ：ＰＵＳＣＨのＳＣ−ＦＤＭＡシンボル数
Ｃ：ターボ符号におけるセグメントされたコードブロック数
Ｋｒ：ｒ番目のコードブロックのビット数
Ｍｏｄｕｌａｔｉｏｎ：ＰＵＳＣＨの変調方式（Ｍｏｄｕｌａｔｉｏｎ  Ｓｃｈｅｍｅ）
【０１５３】
そして、シンボル数決定部１２は、前記パラメータに基づき、上りリンクの制御信号のためのシンボル数を、以下のように算出する。
【０１５４】
【数７】
2010087634.tif 000010
【０１５５】
ここで、ＭＯＤＵＬＡＴＩＯＮは、例えば、ＱＰＳＫ、１６ＱＡＭ、６４ＱＡＭという値が設定される。
【０１５６】
或いは、上りリンクの制御信号のためのシンボル数は、以下のように算出されてもよい。
【０１５７】
【数８】
2010087634.tif 000011
【０１５８】
ここで、ＭｓｃＰＵＳＣＨ−ｃｕｒｒｅｎｔは、当該サブフレームにおけるＰＵＳＣＨのサブキャリア数である。前記ＭｓｃＰＵＳＣＨ−ｃｕｒｒｅｎｔは、送信管理部１３から通知されてもよい。また、ＭＯＤＵＬＡＴＩＯＮは、例えば、ＱＰＳＫ、１６ＱＡＭ、６４ＱＡＭという値が設定される。
【０１５９】
なお、前記上りリンクの制御信号は、ＰＵＳＣＨにマッピングされる上りリンクの制御信号であってもよい。すなわち、前記上りリンクの制御信号は、データ信号に多重される上りリンクの制御信号であってもよい。
【０１６０】
上述した式には、変調方式毎に設定される上りリンクの制御信号のためのパラメータが含まれるため、シンボル数決定部１２は、前記上りリンクの制御信号のシンボル数を、変調方式に基づいて決定する。言い換えれば、シンボル数決定部１２は、変調方式に関する情報が含まれる式を用いて、上りリンクの制御信号のためのシンボル数を算出するように構成されている。
【０１６１】
なお、後述するように、前記変調方式毎の上りリンクの制御信号のためのパラメータは、変調方式の１シンボルあたりのビット数が大きい場合に、小さい値（例えば、８ｄＢ）が設定され、変調方式の１シンボルあたりのビット数が小さい場合に、大きい値（例えば、１１ｄＢ）が設定されてもよい。
【０１６２】
より具体的には、上りリンクの制御信号のためのパラメータは、変調方式が６４ＱＡＭである場合に、小さい値（例えば、７ｄＢ）が設定され、変調方式が１６ＱＡＭである場合に、大きい値（例えば、８ｄＢ）が設定されるように構成されていてもよい。
【０１６３】
或いは、上りリンクの制御信号のためのパラメータは、変調方式が１６ＱＡＭである場合に、小さい値（例えば、８ｄＢ）が設定され、変調方式がＱＰＳＫである場合に、大きい値（例えば、１１ｄＢ）が設定されるように構成されていてもよい。
【０１６４】
或いは、上りリンクの制御信号のためのパラメータは、変調方式が６４ＱＡＭまたは１６ＱＡＭである場合に、小さい値（例えば、８ｄＢ）が設定され、変調方式がＱＰＳＫである場合に、大きい値（例えば、１１ｄＢ）が設定されるように構成されていてもよい。
【０１６５】
なお、上述した、７ｄＢ、８ｄＢ、１１ｄＢといったパラメータは、一例であり、それ以外の値であってもよい。
【０１６６】
このように、変調方式に基づいて上りリンクの制御信号のシンボル数が算出されることにより、すなわち、変調方式毎に通知されるパラメータ、すなわち、上述のパラメータΔｏｆｆｓｅｔＰＵＳＣＨ、ＱＰＳＫ、ΔｏｆｆｓｅｔＰＵＳＣＨ、１６ＱＡＭ、ΔｏｆｆｓｅｔＰＵＳＣＨ、６４ＱＡＭに基づき、変調方式毎に最適な上りリンクの制御信号のシンボル数を算出することが可能となる。
【０１６７】
そして、シンボル数決定部１２は、算出した前記上りリンクの制御信号のためのシンボル数を、上り信号送信部１４に通知するように構成されている。
【０１６８】
パラメータ通知部２１は、移動局ＵＥに対して、変調方式毎に、上りリンクの制御信号のためのパラメータを通知するように構成されている。また、パラメータ通知部２１は、かかる変調方式毎の上りリンクの制御信号のためのパラメータを、シンボル数決定部２２に通知するように構成されている。
【０１６９】
なお、前記変調方式毎の上りリンクの制御信号のためのパラメータは、報知情報の一部として通知されてもよいし、セル内の各移動局ＵＥに対して個別に通知されるＲＲＣ  Ｓｉｇｎａｌｉｎｇ内の情報の一部として通知されてもよい。
【０１７０】
ここで、前記変調方式毎の上りリンクの制御信号のためのパラメータは、ＰＵＳＣＨにマッピングされる上りリンクの制御信号のシンボル数を決定するためのパラメータであってもよい。
【０１７１】
より具体的には、前記変調方式毎の上りリンクの制御信号のためのパラメータは、ＰＵＳＣＨにマッピングされる上りリンクの制御信号のシンボル数を決定するためのオフセット値であってもよい。
【０１７２】
前記オフセット値は、ΔｏｆｆｓｅｔＰＵＳＣＨ、ＭＯＤＵＬＡＴＩＯＮと記載されてもよい。より具体的には、例えば、ＱＰＳＫ、１６ＱＡＭ、６４ＱＡＭに関する前記オフセット値は、それぞれ、ΔｏｆｆｓｅｔＰＵＳＣＨ、ＱＰＳＫ、ΔｏｆｆｓｅｔＰＵＳＣＨ、１６ＱＡＭ、ΔｏｆｆｓｅｔＰＵＳＣＨ、６４ＱＡＭと記載されてもよい。
【０１７３】
なお、パラメータ通知部２１は、前記変調方式毎の、上りリンクの制御信号のためのパラメータに対して、変調方式の１シンボルあたりのビット数が大きい場合に、小さい値（例えば、８ｄＢ）を設定し、変調方式の１シンボルあたりのビット数が小さい場合に、大きい値（例えば、１１ｄＢ）を設定してもよい。
【０１７４】
より具体的には、上りリンクの制御信号のためのパラメータは、変調方式が６４ＱＡＭである場合に、小さい値（例えば、７ｄＢ）が設定され、変調方式が１６ＱＡＭである場合に、大きい値（例えば、８ｄＢ）が設定されるように構成されていてもよい。
【０１７５】
或いは、上りリンクの制御信号のためのパラメータは、変調方式が１６ＱＡＭである場合に、小さい値（例えば、８ｄＢ）が設定され、変調方式がＱＰＳＫである場合に、大きい値（例えば、１１ｄＢ）が設定されるように構成されていてもよい。
【０１７６】
或いは、上りリンクの制御信号のためのパラメータは、変調方式が６４ＱＡＭまたは１６ＱＡＭである場合に、小さい値（例えば、８ｄＢ）が設定され、変調方式がＱＰＳＫである場合に、大きい値（例えば、１１ｄＢ）が設定されるように構成されていてもよい。
【０１７７】
なお、上述した、７ｄＢ、８ｄＢ、１１ｄＢといったパラメータは、一例であり、それ以外の値であってもよい。
【０１７８】
このように、変調方式に基づいて、上りリンクの制御信号のためのパラメータが設定されることにより、結果として、変調方式に基づいて、上りリンクの制御信号のシンボル数が算出される。
【０１７９】
すなわち、変調方式毎に通知されるパラメータ、すなわち、上述のパラメータΔｏｆｆｓｅｔＰＵＳＣＨ、ＱＰＳＫ、ΔｏｆｆｓｅｔＰＵＳＣＨ、１６ＱＡＭ、ΔｏｆｆｓｅｔＰＵＳＣＨ、６４ＱＡＭに基づき、変調方式毎に最適な上りリンクの制御信号のシンボル数が算出されることが可能となる。
【０１８０】
シンボル数決定部２２は、パラメータ取得部２１より、前記変調方式毎の、上りリンクの制御信号のためのパラメータΔｏｆｆｓｅｔＰＵＳＣＨ、ＭＯＤＵＬＡＴＩＯＮを受け取るように構成されている。
【０１８１】
より具体的には、シンボル数決定部２２は、ＱＰＳＫ、１６ＱＡＭ、６４ＱＡＭに関する前記上りリンクの制御信号のためのパラメータとして、それぞれ、ΔｏｆｆｓｅｔＰＵＳＣＨ、ＱＰＳＫ、ΔｏｆｆｓｅｔＰＵＳＣＨ、１６ＱＡＭ、ΔｏｆｆｓｅｔＰＵＳＣＨ、６４ＱＡＭを受け取ってもよい。
【０１８２】
また、シンボル数決定部２２は、受信管理部２３より、以下のパラメータを受け取るように構成されている。
【０１８３】
Ｏ：上りリンクの制御信号の情報ビット数
ＭＳＣＰＵＳＣＨ：ＰＵＳＣＨのサブキャリア数
ＮｓｙｍｂＰＵＳＣＨ：ＰＵＳＣＨのＳＣ−ＦＤＭＡシンボル数
Ｃ：ターボ符号におけるセグメントされたコードブロック数
Ｋｒ：ｒ番目のコードブロックのビット数
Ｍｏｄｕｌａｔｉｏｎ：ＰＵＳＣＨの変調方式（Ｍｏｄｕｌａｔｉｏｎ  Ｓｃｈｅｍｅ）
【０１８４】
そして、シンボル数決定部２２は、パラメータ取得部２１及び受信管理部２３より受け取った、前記パラメータに基づき、上りリンクの制御信号のためのシンボル数を算出するように構成されている。
【０１８５】
なお、シンボル数決定部２２における上りリンクの制御信号のためのシンボル数の算出方法は、シンボル数決定部１２における上りリンクの制御信号のためのシンボル数の算出方法と同様であるため、その説明を省略する。
【０１８６】
シンボル数決定部２２は、算出した、前記上りリンクの制御信号のためのシンボル数を、上り信号受信部１４に通知するように構成されている。
【０１８７】
かかる例からも分かるように、本変更例に係る移動通信システムでは、各変調方式に関するＰＵＳＣＨにマッピングされる上りリンクの制御信号のシンボル数を決定するためのオフセット値が異なるように構成されている。
【０１８８】
なお、上述した例においては、ＱＰＳＫ、１６ＱＡＭ、６４ＱＡＭのそれぞれに関して、前記上りリンクの制御信号のためのパラメータ、ΔｏｆｆｓｅｔＰＵＳＣＨ、ＱＰＳＫ、ΔｏｆｆｓｅｔＰＵＳＣＨ、１６ＱＡＭ、ΔｏｆｆｓｅｔＰＵＳＣＨ、６４ＱＡＭが定義されたが、代わりに、ＱＰＳＫに関する上りリンクの制御信号のためのパラメータ、ΔｏｆｆｓｅｔＰＵＳＣＨ、ＱＰＳＫと、１６ＱＡＭ／６４ＱＡＭに関する上りリンクの制御信号のためのパラメータ、ΔｏｆｆｓｅｔＰＵＳＣＨ、１６／６４ＱＡＭとが設定されてもよい。
【０１８９】
或いは、ＱＰＳＫ及び１６ＱＡＭに関する上りリンクの制御信号のためのパラメータΔｏｆｆｓｅｔＰＵＳＣＨ、ＱＰＳＫ／１６ＱAMと、６４ＱＡＭに関する上りリンクの制御信号のためのパラメータ、ΔｏｆｆｓｅｔＰＵＳＣＨ、６４ＱＡＭとが設定されてもよい。
【０１９０】
（本発明の変更例１に係る移動通信システムの動作）
図７を参照して、本発明の変更例１に係る移動通信システムの動作について説明する。
【０１９１】
ステップＳ４０２において、無線基地局ｅＮＢは、移動局ＵＥに対して、変調方式毎に、上りリンクの制御信号のためのパラメータを通知する。
【０１９２】
例えば、前記変調方式としてＱＰＳＫと１６ＱＡＭが存在し、無線基地局ｅＮＢは、移動局ＵＥに対して、ＱＰＳＫと１６ＱＡＭのそれぞれに関する上りリンクの制御信号のためのパラメータを通知してもよい。この時、移動局ＵＥは、無線基地局ｅＮＢより、変調方式毎に上りリンクの制御信号のためのパラメータを受信する。
【０１９３】
ステップＳ４０４において、変調方式が、ＱＰＳＫ又は１６ＱＡＭのいずれであるかについて判定される。変調方式が、ＱＰＳＫである場合（ステップＳ４０４：ＹＥＳ）、本動作は、ステップＳ４０６に進み、変調方式が、ＱＰＳＫでない場合（１６ＱＡＭである場合）（ステップＳ４０４：ＮＯ）、本動作は、ステップＳ４０８に進む。
【０１９４】
ステップＳ４０６において、無線基地局ｅＮＢ及び移動機局ＵＥは、ＱＰＳＫに関する上りリンクの制御信号のためのパラメータに基づいて、上りリンクの制御信号のシンボル数を決定する。
【０１９５】
なお、上りリンクの制御信号のシンボル数の決定方法に関する説明は、上述した、移動局ＵＥのシンボル数決定部１２に関する説明と同等であるため、省略する。
【０１９６】
ステップＳ４０８において、無線基地局ｅＮＢ及び移動機局ＵＥは、１６ＱＡＭに関する上りリンクの制御信号のためのパラメータに基づいて、上りリンクの制御信号のシンボル数を決定する。
【０１９７】
なお、上りリンクの制御信号のシンボル数の決定方法に関する説明は、上述した、移動局ＵＥのシンボル数決定部１２に関する説明と同等であるため、省略する。
【０１９８】
ステップＳ４１０において、移動局ＵＥは、前記上りリンクの制御信号を送信する。この時、無線基地局ｅＮＢは、前記移動局ＵＥから送信された前記上りリンクの制御信号を受信する。また、この場合の上りリンクの制御信号のシンボル数は、ステップＳ４０６またはステップＳ４０８で算出された値である。
【０１９９】
なお、上述したステップＳ４０２乃至ステップＳ４１０においては、変調方式として、ＱＰＳＫと１６ＱＡＭの２種類が存在するが、代わりに、ＱＰＳＫと１６ＱＡＭと６４ＱＡＭの３種類が存在する場合にも同様の制御が行われる。
【０２００】
尚、前記上りリンクの制御信号には、Ｃｈａｎｎｅｌ  Ｑｕａｌｉｔｙ  Ｃｏｎｔｒｏｌ  Ｉｎｆｏｒｍａｔｉｏｎ、Ｃｈａｎｎｅｌ  Ｑｕａｌｉｔｙ  Ｉｎｄｉｃａｔｏｒ、Ｐｒｅｃｏｄｉｎｇ  Ｍａｔｒｉｘ  Ｉｎｄｉｃａｔｏｒ、Ｒａｎｄ  Ｉｎｄｉｃａｔｏｒ、ＨＡＲＱ-ＡＣＫ  ｉｎｆｏｒｍａｔｉｏｎ、Ｓｃｈｅｄｕｌｉｎｇ  Ｒｅｑｕｅｓｔ等が含まれる。
【０２０１】
また、前記上りリンクの制御信号は、ＰＵＳＣＨにマッピングされる上りリンクの制御信号である。すなわち、前記上りリンクの制御信号は、データ信号に多重されて送信される上りリンクの制御信号である。
【０２０２】
なお、上述した、第１の実施形態及び変更例においては、変調方式の１シンボルあたりのビット数が大きい場合に、上りリンクの制御信号のシンボル数が小さく算出され、変調方式の１シンボルあたりのビット数が小さい場合に、上りリンクの制御信号のシンボル数が大きく算出される例を示したが、代わりに、変調方式の１シンボルあたりのビット数が大きい場合に、上りリンクの制御信号のシンボル数が大きく算出され、変調方式の１シンボルあたりのビット数が小さい場合に、上りリンクの制御信号のシンボル数が小さく算出されてもよい。
【０２０３】
すなわち、より具体的には、上りリンクの制御信号のシンボル数は、変調方式が６４ＱＡＭである場合に、大きく設定され、変調方式が１６ＱＡＭである場合に、小さく設定されるように構成されていてもよい。
【０２０４】
或いは、上りリンクの制御信号のシンボル数は、変調方式が１６ＱＡＭである場合に、大きく設定され、変調方式がＱＰＳＫである場合に、小さく設定されるように構成されていてもよい。
【０２０５】
或いは、上りリンクの制御信号のシンボル数は、変調方式が６４ＱＡＭまたは１６ＱＡＭである場合に、大きく設定され、変調方式がＱＰＳＫである場合に、小さく設定されるように構成されていてもよい。
【０２０６】
上述の変調方式の１シンボルあたりのビット数が大きい場合に、上りリンクの制御信号のシンボル数が大きく算出され、変調方式の１シンボルあたりのビット数が小さい場合に、上りリンクの制御信号のシンボル数が小さく算出されることの効果を、以下に説明する。
【０２０７】
例えば、変調方式の１シンボルあたりのビット数が大きい場合、移動局ＵＥと無線基地局ｅＮＢとの間の無線品質は良好であると考えられ、実現されるスループット（伝送速度）は高い値となる。この場合、制御信号の通信品質をより良い値にすることにより、制御信号の誤りによるスループットの劣化を低減することが可能となる。
【０２０８】
一方、変調方式の１シンボルあたりのビット数が小さい場合、移動局ＵＥと無線基地局ｅＮＢとの間の無線品質は良好ではないと考えられ、制御信号の誤りによるスループットの劣化は小さいと考えられる。この場合、制御信号のシンボル数を低減することにより、制御信号のオーバヘッドを低減することが可能となる。
【０２０９】
なお、上述の無線基地局ｅＮＢや移動局ＵＥの動作は、ハードウェアによって実施されてもよいし、プロセッサによって実行されるソフトウェアモジュールによって実施されてもよいし、両者の組み合わせによって実施されてもよい。
【０２１０】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【０２１１】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局ｅＮＢや移動局ＵＥ内に設けられていてもよい。また、かかる記憶媒体及びプロセッサは、ディスクリートコンポーネントとして無線基地局ｅＮＢや移動局ＵＥ内に設けられていてもよい。
【０２１２】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【図面の簡単な説明】
【０２１３】
【図１】１６ＱＡＭにおけるＨＡＲＱ−ＡＣＫ  ｉｎｆｏｒｍａｔｉｏｎのＣｏｎｓｔｅｌｌａｔｉｏｎ  ｐｏｉｎｔを示す図である。
【図２】６４ＱＡＭにおけるＨＡＲＱ−ＡＣＫ  ｉｎｆｏｒｍａｔｉｏｎのＣｏｎｓｔｅｌｌａｔｉｏｎ  ｐｏｉｎｔを示す図である。
【図３】本発明の第１の実施形態に係る移動通信システムの全体構成図である。
【図４】本発明の第１の実施形態に係る移動局の機能ブロック図である。
【図５】本発明の第１の実施形態に係る無線基地局の機能ブロック図である。
【図６】本発明の第１の実施形態に係る移動通信システムの動作を示すフローチャートである。
【図７】本発明の変更例１に係る移動通信システムの動作を示すフローチャートである。
【符号の説明】
【０２１４】
ＵＥ…移動局
１１…パラメータ取得部
１２…シンボル数決定部
１３…送信管理部
１４…上り信号送信部
ｅＮＢ…無線基地局
２１…パラメータ通知部
２２…シンボル数決定部
２３…受信管理部
２４…上り信号受信部
【図１】
2010087634.tif 000012
【図２】
2010087634.tif 000013
【図３】
2010087634.tif 000014
【図４】
2010087634.tif 000015
【図５】
2010087634.tif 000016
【図６】
2010087634.tif 000017
【図７】
2010087634.tif 000018